(57)【要約】      （修正有）【課題】作業の邪魔にならず、洗濯物を干すこともできる洗濯物用カゴを提供する。【解決手段】適宜に通気用長孔を有する洗濯物用カゴ本体と、この洗濯物用カゴ本体の開口上部に位置すると共に、両端を該開口上部の左右開口縁に反転自在に挿入し、且つ互いに結束する前後のコ字形手提げ用取手と、前記洗濯物用カゴ本体の底面に上端を反転自在に軸支持され、且つ下端に引掛部を設けた垂下フックとでなす。 【選択図】図５
0003159423.tif 000002
【実用新案登録請求の範囲】
【請求項１】
適宜に通気用長孔を有する洗濯物用カゴ本体と、この洗濯物用カゴ本体の開口上部に位置すると共に、両端を該開口上部の左右開口縁に反転自在に挿入すると共に、互いに結束する前後のコ字形手提げ用取手と、前記洗濯物用カゴ本体の底面に上端を反転自在に軸支持され、且つ下端に引掛部を有する垂下フックとでなしたことを特徴とした洗濯物用カゴ。
【請求項２】
コ字形の手提げ用取手は、夫々の中片に結束用の磁石を備えたことを特徴とした請求項１記載の洗濯物用カゴ。
【請求項３】
前記コ字形手提げ用取手は、夫々の中片に結束用の磁石を備え、且つコ字形手提げ用取手を互いに開いた状態において、中片の磁石と吸着する磁性体を洗濯物用カゴ本体の前後開口縁に備えたことを特徴とした請求項１又は２記載の洗濯物用カゴ。
【請求項４】
前記フックは、洗濯物用カゴ本体の底面に形成された凹部に収納することを特徴とした請求項１記載の洗濯物用カゴ。
【請求項５】
前記洗濯物用カゴ本体は、側面に洗濯物が差し込み引っ掛る通気用長孔を形成したことを特徴とした請求項１の洗濯物用カゴ。
【考案の詳細な説明】
【技術分野】
【０００１】
本考案は、脱水した洗濯物を物干し場まで持ち運ぶと共に、更に乾いた洗濯物を収納して屋内に持ち運ぶ洗濯用カゴに関する。
【背景技術】
【０００２】
一般的に、脱水した洗濯物は洗濯用カゴに収めて物干し場まで持ち運んでいる。
所で、この洗濯用カゴは単に洗濯物を一時的に持ち運ぶだけの用途に止まり、その後乾いた洗濯物を収納する迄、無造作に物干し場の床に置かれている。
而して、例えば床面が濡れている雨上がり直後であると、カゴの置き場所に困り、更にややもすると、カゴは水滴と埃とで汚れた状態となり、折角乾かした洗濯物を収納することについては、些か戸惑うことともなる。
【考案の概要】
【考案が解決しようとする課題】
【０００３】
洗濯用カゴを単に洗濯物の持ち運ぶ用具に止めず、且つ乾いた洗濯物を収納する迄、無造作に物干し場の床に置かれていることへの課題を解決する。
【課題を解決するための手段】
【０００４】
本考案は、適宜に通気用長孔を有する洗濯物用カゴ本体と、この洗濯物用カゴ本体の開口上部に位置すると共に、両端を該開口上部の左右開口縁に反転自在に挿入すると共に、互いに結束する前後のコ字形手提げ用取手と、前記洗濯物用カゴ本体の底面に上端を反転自在に軸支持され、且つ下端に引掛部を有する垂下フックとでなしたことを特徴としたものである。
【０００５】
更に本考案は、コ字形の手提げ用取手は、夫々の中片に結束用の磁石を備えたことを特徴としたものである。
【０００６】
又本考案は、コ字形手提げ用取手は、夫々の中片に結束用の磁石を備え、且つコ字形手提げ用取手を互いに開いた状態において、中片の磁石と吸着する磁性体を洗濯物用カゴ本体の前後開口縁に備えたことを特徴としたものである。
【０００７】
更に本考案は、フックは、洗濯物用カゴ本体の底面に形成された凹部に収納すること
を特徴としたものである。
【０００８】
又本考案は、洗濯物用カゴ本体は、側面に洗濯物が差し込み引っ掛る通気用長孔を形成したことを特徴としたものである。
【考案の効果】
【０００９】
(１)請求項１により、干し場にて所望の洗濯物を洗濯物用カゴ本体から一時的に取出した後、洗濯物用カゴ本体を逆さまにして底面のフックを物干竿に引掛けると共に、洗濯物を洗濯物用カゴ本体に配して風通しよく乾かすことができる。
更に、洗濯物用カゴは無造作に床に置かれることもなくなり、作業の邪魔にならず、且つカゴの汚れを心配することもない。
【００１０】
(２) 請求項２により、洗濯物を収納した状態で、洗濯物用カゴ本体を逆さにすれば、形の手提げ用取手は磁石にて結束されていて洗濯物が引っ掛って落ちず、従って洗濯物を、一時的に取出し、他の用具にて干す煩わしさもない。
【００１１】
（３）請求項３により、コ字形手提げ用取手を互いに開いた状態において、中片の磁石と洗濯物用カゴ本体の前後開口縁の磁性体とが吸着し、中片にも洗濯物を引掛けて干すことができ、洗濯物用カゴ本体の全体を有効に利用できる。
【００１２】
（４） 請求項４により、フックが洗濯物用カゴ本体の底面から突出することが無く、使用後に嵩張らない。
【００１３】
（５）請求項５により、やや乾きにくい洗濯物は、洗濯物用カゴ本体の通気用長孔に差込み引掛けることにより、風通しが良く、洗濯物用カゴ本体の全体を、更に有効利用できる。
【考案を実施するための形態】
【００１４】
以下、本考案を実施例として掲げた図面に基づいて説明すると、図１は洗濯物用カゴの斜視図であって  洗濯物用カゴ本体１はポリプロピレン、ＡＢＳ等の合成樹脂、もしくは
金属等にて形成され、洗濯物Ｈを開口上部１ａより納める。
而して、この洗濯物用カゴ本体１の左右側面1bおよび前後側面1c、更には底面1ｄには適宜通気用長孔２を多数設けている。この通気用長孔２は、任意のものを横向きのコ字形に形成し、中子２ａを有する。
【００１５】
更に洗濯物用カゴ本体１の開口上部1aの左右開口縁１ｅには、手提げ用取手３を備えている。
具体的には、手提げ用取手３はコ字形に形成され、その両端3aを洗濯物用カゴ本体１の左右開口縁１ｅに設けられた軸孔４に夫々挿入され、反転自在となっている。
更に、コ字形に形成された手提げ用取手３の中片３ｂには、提げられた状態を維持する
ための結束具５が備えられている。
【００１６】
而して、図１においては、この結束具５を磁石としており、提げ用取手３を互いに開いた状態を維持するため、磁石である結束具５と吸着する磁性体６を洗濯物用カゴ本体１の前後開口縁１ｆに備えている。
図５は、結束具５を可撓性の合成ゴム磁気バンドとし、手提げ用取手３の中片３ｂに巻き付けており、図６は、反転フックとしており、これらは任意となる。
洗濯物用カゴ本体１の底面1cには該洗濯物用カゴ本体１を逆さまにして、物干竿Ｔに引掛けられる引掛部7bを有するフック７が取り付けられている。
【００１７】
具体的には、図３、７に示す如く、  底面1cに凹部８を形成し、この凹部８に設けられた軸受９にフック７の基端７ａを反転自在に軸支持して収納しており、常時はフック７が洗濯物用カゴ本体１の底面1cから突出しない様にしている。
尚、この凹部８の両内側面には、突子１０が設けられており、フック７がその突子１０間に圧入され、図３に示す如く、常時は洗濯物用カゴ本体１の底面1cに保持されている。
図８は、  図４に示す如く洗濯物用カゴ本体１を逆さまにした状態において、手提げ用取手３が垂れ下がらない様に、洗濯物用カゴ本体１の前後開口縁１ｆに備えられた反転自在な引掛具１１にて中片３ｂが水平保持され、無用に垂れ下がることがなく、図４に示す如く、洗濯物Ｈを掛けることができる。
【００１８】
次に本考案洗濯物用カゴの使用順序を説明すると、図１は脱水した洗濯物Ｈを洗濯用カゴに収めて物干し場まで持ち運んだ状態であり、この状態において、図２に示す如く、コ字形に形成された手提げ用取手３を矢印方向に持ち上げ反転させ、結束具５にて左右の手提げ用取手３を結束させる。
而して、洗濯物用カゴ本体１を逆さまにし、フック７を物干竿Ｔに引掛けるのである、
結束した手提げ用取手３にて洗濯物Ｈが引っ掛り、落ちこぼれを最小限に止める。
この状態において手提げ用取手３を、更に図２の如く手提げ用取手３を洗濯物用カゴ
本体１の前後開口縁１ｆに保持させ、洗濯物Ｈを掛けることもできる。
又、通気用長孔２の中子２ａに洗濯物Ｈを引掛けることもでき、洗濯物Ｈを多種多様な
状態で乾かすことができる。
【図面の簡単な説明】
【００１９】
【図１】洗濯物用カゴの斜視図
【図２】同上の側面図
【図３】同上の下方向から見た斜視図
【図４】同上の拡大部分断面図
【図５】同上の使用状態を示す斜視図
【図６】同上の異なる実施例を示す部分斜視図
【図７】同上の異なる他の実施例を示す部分斜視図
【図８】同上の異なる他の実施例を示す部分斜視図
【符号の説明】
【００２０】
Ｈ     洗濯物
Ｔ     物干し竿
1      洗濯物用カゴ本体
2      通気用長孔
3      手提げ用取手
4      軸孔
5      結束具
6      磁性体
7      フック
8      凹部
9      軸受
10     突子
11   引掛具
【図１】
0003159423.tif 000003
【図２】
0003159423.tif 000004
【図３】
0003159423.tif 000005
【図４】
0003159423.tif 000006
【図５】
0003159423.tif 000007
【図６】
0003159423.tif 000008
【図７】
0003159423.tif 000009
【図８】
0003159423.tif 000010